【手続補正書】
【提出日】平成21年9月10日(2009.9.10)
【手続補正１】
【補正対象書類名】明細書
【補正対象項目名】特許請求の範囲
【補正方法】変更
【補正の内容】
【特許請求の範囲】
【請求項１】
文字画像を含む画像データに対して文字認識処理を実行し、当該文字認識処理の結果として得られる文字から単語グループを生成するとともに、前記単語グループの精度値を算定する文字認識方法であって、
文字精度値獲得手段が、生成された単語グループ内の各文字について、前記文字認識処理で求めた各文字の文字精度値を得る文字精度値獲得工程と、
単語グループ精度値算定手段が、前記文字精度値獲得工程で得た前記各文字の文字精度値に基づいて、前記単語グループの精度を表す単語グループ精度値を算定する単語グループ精度値算定工程と、
を有することを特徴とする文字認識方法。
【請求項２】
前記単語グループ精度値算定工程は、
生成された単語グループ内部で文字を選択する文字選択工程と、
該文字選択工程で選択された文字の文字精度値が所定の閾値の精度レベルを越えているかどうかを判断する判断工程と、
前記閾値の精度レベルを越える文字精度値を有する文字に１を割り当てる第１割り当て工程と、
前記閾値の精度レベルを越えない文字精度値を有する文字に０を割り当てる第２割り当て工程と、
を有し、
当該単語グループの各文字に対して前記文字選択工程、前記判断工程、前記第１割り当て工程、及び前記第２割り当て工程の各工程を繰り返し、
さらに、前記単語グループ精度値算定工程は、
前記第１割り当て工程で１が割り当てられた文字数を当該単語グループ中の文字数で除算することによって単語グループ精度値を算定する単語グループ精度値算定副工程を有することを特徴とする請求項１記載の文字認識方法。
【請求項３】
判断手段が、認識対象の文字の書体が正確に認識できる書体であるか否かを判断する判断工程と、
調整手段が、前記判断工程で認識対象の文字が正確に認識できない書体であると判断された場合は、前記文字精度値獲得工程で得た前記単語グループにおける各文字精度値を下げ、前記判断工程で認識対象の文字が正確に認識できる書体であると判断された場合は、前記文字精度値獲得工程で得た前記単語グループにおける各文字精度値を高める調整工程と、
をさらに有することを特徴とする請求項１記載の文字認識方法。
【請求項４】
判断手段が、前記単語グループが所定の言語規則に則っているか否かを判断する判断工程と、
前記単語グループが前記所定の言語規則に反している場合、第１単語グループ精度値調整手段が、前記単語グループ精度値算定工程で算定された該単語グループの単語グループ精度値を減じる第１単語グループ精度値調整工程と、
をさらに有することを特徴とする請求項１記載の文字認識方法。
【請求項５】
前記単語グループが予め記憶された単語リスト中の単語グループの一つに適合する場合、第２単語グループ精度値調整手段が、前記単語グループ精度値算定工程で算定された当該単語グループの単語グループ精度値を高める第２単語グループ精度値調整工程と、
前記単語グループが前記単語リスト中の単語グループのいずれにも適合しない場合、第３単語グループ精度値調整手段が、前記単語グループ精度値算定工程で算定された当該単語グループの単語グループ精度値を下げる第３単語グループ精度値調整工程と、
をさらに有することを特徴とする請求項１記載の文字認識方法。
【請求項６】
表示手段が、前記単語グループ及び当該単語グループの前記単語グループ精度値に関する情報を表示する表示工程をさらに有することを特徴とする請求項１記載の文字認識方法。
【請求項７】
前記単語グループ精度値算定工程は、
前記単語グループ中の全ての文字の文字精度値が所定の閾値以上である場合、該文字精度値の平均値を算定し、該平均値を単語グループ精度値とする第１単語グループ精度値算定副工程と、
前記全ての文字の文字精度値の少なくとも一つが前記閾値よりも小さい場合、該閾値よりも小さい文字精度値を有する文字数を１００で割った結果を該閾値から減算したものを単語グループ精度値とする第２単語グループ精度値算定副工程と、
を有することを特徴とする請求項１記載の文字認識方法。
【請求項８】
前記単語グループ精度値算定工程は、
前記文字精度値獲得工程で得た文字精度値の内、最低の文字精度値を特定する最低文字精度値特定工程と、
該特定された最低文字精度値を単語グループ精度値とする単語グループ精度値算定副工程と、
を有することを特徴とする請求項１記載の文字認識方法。
【請求項９】
前記単語グループ精度値が所定の閾値を越えている単語グループを、単語グループを記述した単語リストに加える工程をさらに有することを特徴とする請求項１記載の文字認識方法。
【請求項１０】
いずれの単語グループも前記閾値を越す精度値を有していない場合、その閾値の変更をユーザに促す表示を行う工程をさらに有することを特徴とする請求項９記載の文字認識方法。
【請求項１１】
前記文字認識処理では、複数の文字認識アルゴリズムを前記画像データに適用し複数のバージョンの文字認識結果を出力し、
前記単語グループ生成工程は、前記文字認識処理で出力された前記複数のバージョンの文字認識結果からそれぞれの単語グループを生成し、
前記文字精度値獲得工程は、前記複数のバージョンについてそれぞれの文字精度値を得て、
前記単語グループ精度値算定工程は、前記複数のバージョンについてそれぞれの単語グループ精度値を算定し、
特定手段が、前記複数のバージョンのうち、最高の単語グループ精度値を有するバージョンを特定する特定工程を更に有する
ことを特徴とする請求項１に記載の文字認識方法。
【請求項１２】
前記文字認識処理で得られた前記複数のバージョンの認識結果の文字ごとに、前記文字精度値獲得工程で得た文字精度値が最高となるものを選択し、選択された各文字を組み合わせて複合単語グループを生成する複合単語グループ生成工程を更に有することを特徴とする請求項１１に記載の文字認識方法。
【請求項１３】
前記単語グループ精度値算定工程は、
文字精度値が所定の閾値を越えているかどうかを判断する判断工程と、
文字精度値が前記閾値を越えている場合に、その文字に１を割り当てる第３割り当て工程と、
文字精度値が前記閾値を越えていない場合に、その文字に０を割り当てる第４割り当て工程と、
を有し、
前記単語グループ中の各文字に対して、前記判断工程、前記第３割り当て工程及び前記第４割り当て工程を繰り返し、
前記単語グループ精度値算定工程は、
前記第３割り当て工程において１が割り当てられた文字数を当該単語グループ中の文字数で除算することによって単語グループ精度値を算定する単語グループ精度値算定副工程をさらに有することを特徴とする請求項１１記載の文字認識方法。
【請求項１４】
判断手段が、前記単語グループが所定の言語規則に則っているか否かを判断する判断工程と、
前記単語グループが前記所定の言語規則に反している場合、第４単語グループ精度値調整手段が、前記単語グループ精度値算定工程で算定された該単語グループの単語グループ精度値を減じる第４単語グループ精度値調整工程と、
をさらに有することを特徴とする請求項１１記載の文字認識方法。
【請求項１５】
前記単語グループが予め記憶された単語リスト中の単語グループの一つに適合する場合、第５単語グループ精度値調整手段が、前記単語グループ精度値算定工程で算定された当該単語グループの単語グループ精度値を高める第５単語グループ精度値調整工程と、
前記単語グループが前記単語リスト中の単語グループのいずれにも適合しない場合、第６単語グループ精度値調整手段が、前記単語グループ精度値算定工程で算定された当該単語グループの単語グループ精度値を下げる第６単語グループ精度値調整工程と、
をさらに有することを特徴とする請求項１１記載の文字認識方法。
【請求項１６】
比較手段が、前記文字精度値獲得工程で得た文字精度値を複数の閾値と比較する工程と、
割り当て手段が、前記複数の閾値のうち前記文字精度値に最も近い閾値に関連した視覚的識別記号を当該文字精度値に割り当てる工程と、
を更に有し、
前記表示工程は、前記視覚的識別記号を前記単語グループ精度値に関する情報として表示する
ことを特徴とする請求項６記載の文字認識方法。
【請求項１７】
文字画像を含む画像データに対して文字認識処理を実行し、当該文字認識処理の結果として得られる文字から単語グループを生成するとともに、前記単語グループの精度値を算定する文字認識装置であって、
生成された単語グループ内の各文字について、前記文字認識処理で求めた各文字の文字精度値を得る文字精度値獲得手段と、
前記文字精度値獲得手段により得た前記各文字の文字精度値に基づいて、前記単語グループの精度を表す単語グループ精度値を算定する単語グループ精度値算定手段と、
を有することを特徴とする文字認識装置。
【請求項１８】
コンピュータに、請求項１乃至１６のいずれか１項に記載の各工程を実行させるためのプログラムを格納したコンピュータ読み取り可能な記憶媒体。
【手続補正２】
【補正対象書類名】明細書
【補正対象項目名】０００９
【補正方法】変更
【補正の内容】
【０００９】
上記目的を達成するため、本発明の一側面に係る文字認識方法は、
文字画像を含む画像データに対して文字認識処理を実行し、当該文字認識処理の結果として得られる文字から単語グループを生成するとともに、前記単語グループの精度値を算定する文字認識方法であって、
文字精度値獲得手段が、生成された単語グループ内の各文字について、前記文字認識処理で求めた各文字の文字精度値を得る文字精度値獲得工程と、
単語グループ精度値算定手段が、前記文字精度値獲得工程で得た前記各文字の文字精度値に基づいて、前記単語グループの精度を表す単語グループ精度値を算定する単語グループ精度値算定工程と、
を有することを特徴とする。
【手続補正３】
【補正対象書類名】明細書
【補正対象項目名】００１０
【補正方法】変更
【補正の内容】
【００１０】
また、本発明に係る文字認識装置は、
文字画像を含む画像データに対して文字認識処理を実行し、当該文字認識処理の結果として得られる文字から単語グループを生成するとともに、前記単語グループの精度値を算定する文字認識装置であって、
生成された単語グループ内の各文字について、前記文字認識処理で求めた各文字の文字精度値を得る文字精度値獲得手段と、
前記文字精度値獲得手段により得た前記各文字の文字精度値に基づいて、前記単語グループの精度を表す単語グループ精度値を算定する単語グループ精度値算定手段と、
を有することを特徴とする。
【手続補正４】
【補正対象書類名】明細書
【補正対象項目名】００１１
【補正方法】削除
【補正の内容】
【手続補正５】
【補正対象書類名】図面
【補正対象項目名】図２ｂ
【補正方法】変更
【補正の内容】
【図２ｂ】
1999316800.tif 000001
【手続補正６】
【補正対象書類名】図面
【補正対象項目名】図２ｃ
【補正方法】変更
【補正の内容】
【図２ｃ】
1999316800.tif 000002
【手続補正７】
【補正対象書類名】図面
【補正対象項目名】図５ｂ
【補正方法】変更
【補正の内容】
【図５ｂ】
1999316800.tif 000003